(57)【特許請求の範囲】
【請求項１】
通信装置であって、
送受信アンテナと、
送信信号に対して増幅を行なう電力増幅器と、送信信号に対して中間周波数帯から無線周波数帯へ周波数変換を行なうミキサを少なくとも含む第１の信号処理部と、
第１の端子、第２の端子、および第３の端子を含むサーキュレータとを備え、
前記第１の端子は、前記第１の信号処理部からの送信信号を受け、
前記第２の端子は、前記送受信アンテナからの受信信号を受けるとともに、前記送受信アンテナへ前記第１の端子から入力された送信信号を出力し、
前記第３の端子は、前記第２の端子から入力された受信信号を出力し、かつ前記第１の端子から入力された送信信号をフィードバック信号として出力し、
前記通信装置は、さらに、
前記第３の端子から出力された受信信号に対して増幅を行なう低雑音増幅器を含むとともに、前記受信信号および前記フィードバック信号に対して無線周波波数帯から中間周波数帯への周波数変換を行なう第２の信号処理部と、
前記第２の信号処理部から出力される前記フィードバック信号に基づいて、前記第１の信号処理部に含まれる前記電力増幅器で生じた歪を補償する歪補償部とを備えた、通信装置。
【請求項２】
前記第２の信号処理部は、前記第３の端子から出力される信号を受けるスイッチと、減衰器とを含み、
受信時には、前記スイッチは、前記受けた信号を前記低雑音増幅器へ出力し、
送信時の第１の期間では、前記スイッチは、前記受けた信号を前記減衰器へ出力し、前記歪補償部は、前記歪の補償を実行し、
送信時の第２の期間では、前記スイッチは、前記受けた信号を前記低雑音増幅器および前記減衰器のいずれにも出力せず、前記歪補償部は、前記歪の補償を実行しない、請求項１記載の通信装置。
【請求項３】
前記第２の信号処理部は、前記受信信号および前記フィードバック信号に対して無線周波波数帯から中間周波数帯への周波数変換を行なう単一のミキサを含む、請求項１記載の通信装置。
【請求項４】
前記第２の信号処理部は、前記フィードバック信号および前記受信信号を受ける可変減衰器を含み、
前記減衰器は、前記フィードバック信号を所定のレベルまで減衰するとともに、前記受信信号を減衰させない、請求項１記載の通信装置。
【請求項５】
通信装置であって、
送受信アンテナと、
送信信号に対して増幅を行なう電力増幅器と、送信信号に対して中間周波数帯から無線周波数帯へ周波数変換を行なうミキサを少なくとも含む第１の信号処理部と、
受信信号に対して増幅を行なう低雑音増幅器と、受信信号に対して無線周波数帯から中間周波数帯への周波数変換を行なうミキサを少なくとも含む第２の信号処理部と、
前記送信信号のフィードバック信号に対して無線周波数帯から中間周波数帯への周波数変換を行なうミキサを少なくとも含む第３の信号処理部と、
第１の端子、第２の端子、および第３の端子を含むサーキュレータとを備え、
前記第１の端子は、前記第１の信号処理部からの送信信号を受け、
前記第２の端子は、前記送受信アンテナからの受信信号を受けるとともに、前記送受信アンテナへ前記第１の端子から入力された送信信号を出力し、
前記第３の端子は、前記第２の端子から入力された受信信号を出力し、かつ前記第１の端子から入力された送信信号をフィードバック信号として出力し、
前記通信装置は、さらに、
前記第３の信号処理部から出力される前記フィードバック信号に基づいて、前記第１の信号処理部に含まれる前記電力増幅器で生じた歪を補償する歪補償部と、
前記第３の端子から出力される信号を受けて、受信時に、前記受けた信号を前記第２の信号処理部に出力し、送信時に前記受けた信号を前記第２の信号処理部に出力するスイッチとを備えた、通信装置。
【請求項６】
送信時の第１の期間では、前記スイッチは、前記受けた信号を前記第３の信号処理部に出力し、前記歪補償部は、前記歪の補償を実行し、
送信時の第２の期間では、前記スイッチは、前記受けた信号を前記第２の信号処理部および前記第３の信号処理部のいずれにも出力せず、前記歪補償部は、前記歪の補償を実行しない、請求項５記載の通信装置。
【請求項７】
前記第３の信号処理部は、さらに前記フィードバック信号を所定のレベルまで減衰させる減衰器を含む、請求項５記載の通信装置。
【請求項８】
前記低雑音増幅器は、前記送信時の第１の期間において、電源がオフとなる、請求項４または６記載の通信装置。
【請求項９】
前記サーキューレータの第２の端子と前記送受信アンテナとの間に設けられたバンドパスフィルタをさらに含む、請求項１〜７のいずれか１項に記載の通信装置。
【請求項１０】
送受信アンテナと、
送信信号に対して増幅を行なう電力増幅器と、送信信号に対して中間周波数帯から無線周波数帯へ周波数変換を行なうミキサを少なくとも含む第１の信号処理部と、
受信信号に対して増幅を行なう低雑音増幅器を含むとともに、前記受信信号およびフィードバック信号に対して無線周波波数帯から中間周波数帯への周波数変換を行なう第２の信号処理部と、
第１の端子、第２の端子、および第３の端子を含むサーキュレータとを備えた通信装置における歪補償方法であって、
前記第１の信号処理部が、送信信号に対して増幅、および中間周波数帯から無線周波数帯へ周波数変換を行なうステップと、
前記第１の端子が、前記第１の信号処理部からの送信信号を受けて、前記第２の端子が、前記送受信アンテナへ前記第１の端子から入力された送信信号を出力し、かつ前記第３の端子が、前記第１の端子から出力されるフィードバック信号を出力するステップと、
前記第２の信号処理部が、前記フィードバック信号に対して無線周波波数帯から中間周波数帯への周波数変換を行なうステップと、
前記第２の信号処理部から出力される前記フィードバック信号に基づいて、前記第１の信号処理部に含まれる前記電力増幅器で生じた歪を補償するステップとを備えた、歪補償方法。
【発明の詳細な説明】
【技術分野】
【０００１】
本発明は、通信装置および歪補償方法に関する。
【背景技術】
【０００２】
現在、通信装置に用いられるアンプの歪補償技術としてデジタルプリディストーション（ＤＰＤ：Digital Pre-distortion）方式が広く採用されている。ＤＰＤ方式では、パワーアンプから出力される送信信号をフィードバックする仕組みが必要となる（たとえば、特許文献１を参照）。
【０００３】
パワーアンプから出力される送信信号をフィードバックするためには、従来では、たとえばカプラが設けられていた。
【０００４】
カプラに入力された送信信号は、サーキュレータに出力されるとともに、その一部がフィードバック信号としてフィードバック信号処理回路へ折返される。サーキュレータは、送信信号を送受信アンテナへ出力するとともに、送受信アンテナから受信した受信信号を受信信号処理回路へ出力する。フィードバック信号処理回路では、ミキサによるフィードバック信号の周波数変換、減衰器によるフィードバック信号のレベルの減衰などの処理が行われる。一方、受信信号処理回路では、それぞれミキサによる受信信号の周波数変換、低雑音増幅器による受信信号の増幅などの処理が行われる。
【先行技術文献】
【特許文献】
【０００５】
【特許文献１】特開２０１０−１０３８３４号公報
【発明の概要】
【発明が解決しようとする課題】
【０００６】
しかしながら、フィードバックする仕組みを設けることによって、部品の数量およびケーブル配線が増加するという問題がある。特に、送信処理回路は、通常でも回路構成が大規模で複雑な上に、さらにカプラなどを設ける必要があるため、回路構成がより大規模化、複雑化する。
【０００７】
それゆえに、本発明の目的は、ＤＰＤ方式の歪補償機能を有する簡易な構成の通信装置および当該通信装置の歪補償方法を提供することである。
【課題を解決するための手段】
【０００８】
本発明の一実施形態の通信装置は、送受信アンテナと、送信信号に対して増幅を行なう電力増幅器と、送信信号に対して中間周波数帯から無線周波数帯へ周波数変換を行なうミキサを少なくとも含む第１の信号処理部と、第１の端子、第２の端子、および第３の端子を含むサーキュレータとを備える。第１の端子は、第１の信号処理部からの送信信号を受け、第２の端子は、送受信アンテナからの受信信号を受けるとともに、送受信アンテナへ第１の端子から入力された送信信号を出力し、第３の端子は、第２の端子から入力された受信信号を出力し、かつ第１の端子から入力された送信信号をフィードバック信号として出力する。通信装置は、さらに、第３の端子から出力された受信信号に対して増幅を行なう低雑音増幅器を含むとともに、受信信号およびフィードバック信号に対して無線周波波数帯から中間周波数帯への周波数変換を行なう第２の信号処理部と、第２の信号処理部から出力されるフィードバック信号に基づいて、第１の信号処理部に含まれる電力増幅器で生じた歪を補償する歪補償部とを備える。
【発明の効果】
【０００９】
本発明の一実施形態によれば、簡易な構成でＤＰＤ方式の歪補償機能を実行することができる。
【図面の簡単な説明】
【００１０】
【図１】本発明の第１の実施形態の通信装置の構成を表わす図である。
【図２】歪補償を実行するために、フィードバックループを形成する場合の信号の流れを表わす図である。
【図３】受信時の信号の流れを表わす図である。
【図４】歪補償を実行しないため、フィードバックループの形成を停止する場合の送信時の信号の流れを表わす図である。
【図５】本発明の第２の実施形態の通信装置の構成を表わす図である。
【図６】本発明の第３の実施形態の通信装置の構成を表わす図である。
【図７】本発明の第４の実施形態の通信装置の構成を表わす図である。
【図８】本発明の第５の実施形態の通信装置の構成を表わす図である。
【発明を実施するための形態】
【００１１】
以下、本発明の実施形態について図面を参照して説明する。
［第１の実施形態］
この通信装置は、時分割多元接続方式(ＴＤＭＡ：Time Division Multiple Access)と時分割双方向伝送方式(ＴＤＤ：Time Division Duplex)を組み合わせた方法であるＴＤＭＡ／ＴＤＤ方式で、他の通信装置と通信する。つまり、この通信装置は、時間的に送信と受信とを切り変えるとともに、送信した信号の周波数と同一の周波数を有する受信信号を受信する。
【００１２】
（構成）
図１は、本発明の第１の実施形態の通信装置の構成を表わす図である。
【００１３】
図１を参照して、この通信装置は、送受信アンテナ１０と、バンドパスフィルタ（ＢＰＦ）１２と、サーキュレータ１４と、送信信号処理部２０１と、局部発振器８１と、受信信号およびフィードバック信号処理部２０４とを備える。
【００１４】
送信信号処理部２０１は、ミキサ２０と、増幅器１８と、電力増幅器（ＰＡ：Power Amp)１６とを備える。
【００１５】
受信信号およびフィードバック信号処理部２０４は、スイッチ２２と、低雑音増幅器（ＬＮＡ）２６と、減衰器（ＡＴＴ：Attenuator）２４と、スイッチ２８と、スイッチ３０と、増幅器３２と、スイッチ３４と、ミキサ３６と、スイッチ３８と、ローパスフィルタ４０と、スイッチ４２とを備える。
【００１６】
バンドパスフィルタ１２と、サーキュレータ１４と、スイッチ２２と、低雑音増幅器２６と、減衰器２４と、電力増幅器１６と、スイッチ２８は、フロントエンドモジュール（ＦＥＭ）１に含まれる。また、局部発振器８１と、ミキサ２０と、増幅器１８と、スイッチ３０と、増幅器３２と、スイッチ３４と、ミキサ３６と、スイッチ３８と、ローパスフィルタ４０と、スイッチ４２とは、トランシーバ２に含まれる。
【００１７】
送受信アンテナ１０は、他の通信装置へ無線信号（無線周波数帯の信号）を送信し、かつ他の通信装置から無線信号（無線周波数帯の信号）を受信する。
【００１８】
バンドパスフィルタ１２は、送信信号および受信信号の所望の周波数帯域の成分を通過させる。バンドパスフィルタ１２を設けることによって、フィードバック信号に含まれる３次および５次の高調波が送受信アンテナ１０から反射されて、受信信号およびフィードバック信号処理部２０４を経て、歪補償部５６に入力されるのを回避することができる。
【００１９】
サーキュレータ１４は、第１の端子Ｐ１と、第２の端子Ｐ２と、第３の端子Ｐ３とを有する。第１の端子Ｐ１に入力された信号は、第２の端子Ｐ２から出力され、第２の端子Ｐ２に入力された信号は、第３の端子Ｐ３から出力される。
【００２０】
サーキュレータの第１の端子Ｐ１から第３の端子Ｐ３へのアイソレーションを、第２の端子Ｐ２から第１の端子Ｐ１へのアイソレーションおよび第３の端子Ｐ３から第２の端子Ｐ２へのアイソレーションよりも所定量低下させることによって、第１の端子Ｐ１に入力された信号の一部が第３の端子Ｐ３へ漏れ出し、第３の端子Ｐ３は、この漏れ出した信号を出力する。つまり、第３の端子Ｐ３からは、第１の端子Ｐ１に入力された送信信号が漏れ出した信号がフィードバック信号として出力される。
【００２１】
局部発振器８１は、ベースバンド信号を所定の無線周波数に変換するためのローカル信号を生成する。
【００２２】
ミキサ２０は、中間周波数帯の送信信号と局部発振器８１から出力されるローカル信号とを乗算して、送信信号を無線周波数帯の信号にアップコンバートする。
【００２３】
増幅器１８は、ミキサ２０から出力される送信信号を後段の電力増幅に適したレベルに増幅して、フロントエンドモジュール１の電力増幅器１６へ出力する。
【００２４】
電力増幅器１６は、トランシーバ２の増幅器１８から出力される送信信号を所定のレベルまで増幅して、サーキュレータ１４へ出力する。
【００２５】
スイッチ２２は、送信時における第１の期間、つまり歪補償を実行する期間には、サーキュレータ１４からの信号、つまりフィードバック信号を減衰器２４へ出力する。スイッチ２２は、送信時における第２の期間、つまり歪補償を実行しない期間には、サーキュレータ１４からの信号、つまりフィードバック信号を抵抗Ｒを介してグランドへ出力する。スイッチ２２は、受信時に、サーキュレータ１４からの信号、つまり受信信号を低雑音増幅器２６へ出力する。
【００２６】
低雑音増幅器２６は、雑音指数の少ない増幅器である。低雑音増幅器２６は、スイッチ２２から出力される受信信号を増幅して、スイッチ２８へ出力する。低雑音増幅器２６は、送信時の第１の期間には、電源がオフとなるように制御される。これにより、スイッチ２２から漏れたフィードバック信号が低雑音増幅器２６に入力されることによって、低雑音増幅器２６が破損するのを防止することができる。あるいは、低雑音増幅器２６は、送信時には必ず電源がオフとなるように制御されるようにすることによって、送信時のすべての期間において、低雑音増幅器２６が破損するのを防止することができるようにしてもよい。
【００２７】
減衰器２４は、スイッチ２２から出力されるフィードバック信号を所定のレベルまで減衰して、スイッチ２８へ出力する。
【００２８】
スイッチ２８は、受信時には低雑音増幅器２６から出力される受信信号を受けて、トランシーバ２のスイッチ３０へ出力し、送信時には減衰器２４から出力されるフィードバック信号を受けて、トランシーバ２のスイッチ３０へ出力する。
【００２９】
スイッチ３０は、送信時には、スイッチ２８から出力された信号、つまりフィードバック信号を受けてスイッチ３４へ出力し、受信時には、スイッチ２８から出力された信号、つまり受信信号を受けて増幅器３２へ出力する。
【００３０】
増幅器３２は、低雑音増幅器２６で増幅された受信信号をさらに後段のミキシングに適したレベルまで増幅して、スイッチ３４へ出力する。
【００３１】
スイッチ３４は、送信時には、スイッチ３０から出力された信号、つまりフィードバック信号を受けてミキサ３６へ出力し、受信時には、増幅器３２から出力された信号、つまり受信信号を受けてミキサ３６へ出力する。
【００３２】
ミキサ３６は、送信時には、無線周波数帯のフィードバック信号と局部発振器８１から出力されるローカル信号とを乗算して、フィードバック信号を中間周波数帯の信号にダウンコンバートする。ミキサ３６は、受信時には、無線周波数帯の受信信号と局部発振器８１から出力されるローカル信号とを乗算して、受信信号を中間周波数帯の信号にダウンコンバートする。
【００３３】
スイッチ３８は、送信時には、ミキサ３６から出力された信号、つまりフィードバック信号を受けてスイッチ４２へ出力し、受信時には、ミキサ３６から出力された信号、つまり受信信号を受けてローパスフィルタ４０へ出力する。
【００３４】
ローパスフィルタ４０は、受信信号から妨害波を除去して所望信号を抽出して、スイッチ４２へ出力する。
【００３５】
スイッチ４２は、送信時にはスイッチ３８から出力されるフィード信号を受けて、ＡＤＣ５４へ出力し、受信時にはローパスフィルタ４０から出力される受信信号を受けて、ＡＤＣ５４へ出力する。
【００３６】
この通信装置は、さらに、ＤＡＣ５２と、ＡＤＣ５４と、デジタル信号処理部３とを備える。
【００３７】
デジタル信号処理部３は、歪補償部５６と、変調部６１と、復調部６０とを備える。
ＤＡＣ５２は、歪補償部５６で歪補償された送信信号（デジタル信号）をアナログ信号に変換して、ミキサ２０へ出力する。
【００３８】
ＡＤＣ５４は、スイッチ４２から出力されるアナログのフィードバック信号または受信信号をデジタル信号に変換して、歪補償部５６と復調部６０に出力する。
【００３９】
歪補償部５６は、送信時における第１の期間には、フィードバック信号に基づいて、プリディストーション方式によって、送信信号処理部２０１に含まれる電力増幅器で生じた歪を補償する。具体的には、歪補償部５６は、送信信号とフィードバック信号との歪量を検出し、この歪量を減少させるための補正係数を求めて、次に送信する送信信号に対して算出した補正係数によって歪補償を行なう。歪補償部５６は、送信時における第２の期間には、フィードバック信号が得られないので、歪補償を実行しない。
【００４０】
変調部６１はＱＰＳＫ（Quadrature Phase Shift Keying）または６４ＱＡＭ（Quadrature Amplitude Modulation）などの変調方式によって、送信信号を変調する。
【００４１】
復調部６０は、ＱＰＳＫまたは６４ＱＡＭなどに対応する復調方式で、受信信号を復調する。
【００４２】
（フィードバックループを形成する場合の信号の処理過程）
図２は、歪補償を実行するために、フィードバックループを形成する場合の信号の流れを表わす図である。
【００４３】
図２を参照して、ミキサ２０は、中間周波数帯の送信信号を無線周波数帯の信号にアップコンバートする。増幅器１８は、さらに送信信号を後段の電力増幅に適したレベルに増幅する、電力増幅器１６は、さらに送信信号を所定のレベルまで増幅して、サーキュレータ１４へ出力する。
【００４４】
サーキュレータ１４の第１の端子Ｐ１に入力された送信信号は、第２の端子Ｐ２から出力して、バンドパスフィルタ１２に送られる。バンドパスフィルタ１２は、送信信号の所望の周波数帯域の成分を通過して、送受信アンテナ１０へ出力する。送受信アンテナ１０は、送信信号を他の通信装置へ送信する。
【００４５】
また、サーキュレータ１４の第１の端子Ｐ１に入力された送信信号は、第３の端子Ｐ３から漏れ出してフィードバック信号となる。スイッチ２２によってフィードバック信号は、減衰器２４へ出力される。減衰器２４は、スイッチ２２から出力されるフィードバック信号を所定のレベルまで減衰して、スイッチ２８へ出力する。スイッチ２８によって、フィードドバック信号は、スイッチ３０へ出力される。スイッチ３０によって、フィードバック信号は、スイッチ３４へ出力される。スイッチ３４によって、フィードバック信号は、ミキサ３６へ出力される。ミキサ３６は、無線周波数帯のフィードバック信号を中間周波数帯の信号にダウンコンバートして、スイッチ３８へ出力する。スイッチ３８によって、フィードバック信号は、スイッチ４２へ出力される。スイッチ４２によって、フィードバック信号は、ＡＤＣ５４に出力される。歪補償部５６は、フィードバック信号に基づいて、プリディストーション方式によって、送信信号処理部２０１に含まれる電力増幅器で生じた歪を補償する。
【００４６】
（受信信号の処理過程）
図３は、受信時の信号の流れを表わす図である。
【００４７】
送受信アンテナ１０は、他の通信装置からの信号を受信して、受信信号をバンドパスフィルタ１２に出力する。バンドパスフィルタ１２は、受信信号の所望の周波数帯域の成分を通過して、サーキュレータ１４へ出力する。
【００４８】
サーキュレータ１４の第２の端子Ｐ２に入力された受信信号は、第３の端子Ｐ３から出力される。スイッチ２２によって、受信信号は、低雑音増幅器２６へ出力される。低雑音増幅器２６は、スイッチ２２から出力される受信信号を増幅して、スイッチ２８へ出力する。スイッチ２８によって、受信信号は、スイッチ３０へ出力される。スイッチ３０によって、受信信号は、増幅器３２へ出力される。増幅器３２は、受信信号をさらに増幅して、スイッチ３４へ出力する。スイッチ３４によって、受信信号は、ミキサ３６に出力される。ミキサ３６は、無線周波数帯の受信信号を中間周波数帯の信号にダウンコンバートして、スイッチ３８へ出力する。スイッチ３８によって、受信信号は、ローパスフィルタ４０に出力される。ローパスフィルタ４０は、受信信号から妨害波を除去して所望信号を抽出して、スイッチ４２へ出力する。スイッチ４２によって、受信信号が、ＡＤＣ５４へ出力される。
【００４９】
（フィードバックループを形成しない場合の信号の処理過程）
図４は、歪補償を実行しないため、フィードバックループの形成を停止する場合の送信時の信号の流れを表わす図である。
【００５０】
フィードバックループを形成しない場合にも、図２の場合と同様にして、送信信号は、送受信アンテナ１０から出力され、第１の端子Ｐ１に入力された送信信号は、第３の端子Ｐ３からフィードバック信号として漏れ出す。
【００５１】
フィードバックループを形成しない場合には、スイッチ２２は、サーキュレータ１４から出力されるフィードバック信号を抵抗Ｒを介して、グランドへ出力する。これによって、フィードバック信号は歪補償部５６へ伝送されない。
【００５２】
以上のように、第１の実施形態によれば、送信信号処理回路からフィードバック信号を取り出すのではなく、サーキュレータに入力される送信信号の漏れからフィードバック信号を取り出すので、送信信号処理部にカプラを設ける必要がなく、送信信号処理部の回路規模を小さくすることができるとともに、配線が複雑化するのを回避することができる。また、単一のミキサによって、フィードバック信号と受信信号の両方の周波数変換が行われるので、フィードバック信号の周波数変換と受信信号の周波数変換とを別々のミキサで行なう場合と比べて、通信装置の回路規模を小さくすることができる。
【００５３】
［第２の実施形態］
図５は、本発明の第２の実施形態の通信装置の構成を表わす図である。
【００５４】
この通信装置は、送受信アンテナ１０と、サーキュレータ１４と、バンドパスフィルタ１２と、局部発振器８１と、送信信号処理部２０１と、スイッチ２２と、フィードバック信号処理部２０２と、受信信号処理部２０３と、ＤＡＣ５２と、ＡＤＣ６２と、ＡＤＣ６４と、デジタル信号処理部３とを備える。
【００５５】
送信信号処理部２０１と、サーキュレータ１４と、バンドパスフィルタ１２と、送受信アンテナ１０と、局部発振器８１と、ＤＡＣ５２と、デジタル信号処理部３は、図１に示すものと同様である。
【００５６】
受信信号処理部２０３は、低雑音増幅器２６と、増幅器３２と、ミキサ４６と、ローパスフィルタ４０とを含む。
【００５７】
フィードバック信号処理部２０２は、減衰器２４と、ミキサ４４とを含む。
スイッチ２２は、送信時において歪補償を実行するときには、サーキュレータ１４からの信号、つまりフィードバック信号をフィードバック信号処理部２０２に含まれる減衰器２４へ出力する。スイッチ２２は、送信時において歪補償を実行しないときには、サーキュレータ１４からの信号、つまりフィードバック信号を抵抗Ｒを介してグランドへ出力する。スイッチ２２は、受信時に、サーキュレータ１４からの信号、つまり受信信号を受信信号処理部２０３に含まれる低雑音増幅器２６へ出力する。
【００５８】
低雑音増幅器２６は、雑音指数の少ない増幅器であり、スイッチ２２から出力される受信信号を増幅して、増幅器３２へ出力する。低雑音増幅器２６は、送信時の第１の期間には、電源がオフとなるように制御される。これにより、スイッチ２２から漏れたフィードバック信号が低雑音増幅器２６に入力されることによって、低雑音増幅器２６が破損するのを防止することができる。あるいは、低雑音増幅器２６は、送信時には必ず電源がオフとなるように制御されるようにすることによって、送信時のすべての期間において、低雑音増幅器２６が破損するのを防止することができるようにしてもよい。
【００５９】
減衰器２４は、スイッチ２２から出力されるフィードバック信号を所定のレベルまで減衰して、ミキサ４４へ出力する。
【００６０】
増幅器３２は、低雑音増幅器２６で増幅された受信信号をさらに後段のミキシングに適したレベルまで増幅して、ミキサ４６へ出力する。
【００６１】
ミキサ４４は、送信時には、無線周波数帯のフィードバック信号と局部発振器８１から出力されるローカル信号とを乗算して、フィードバック信号を中間周波数帯の信号にダウンコンバートして、ＡＤＣ６２へ出力する。
【００６２】
ミキサ４６は、受信時には、無線周波数帯の受信信号と局部発振器８１から出力されるローカル信号とを乗算して、受信信号を中間周波数帯の信号にダウンコンバートして、ローパスフィルタ４０へ出力する。
【００６３】
ローパスフィルタ４０は、受信信号から妨害波を除去して所望信号を抽出して、ＡＤＣ６４へ出力する。
【００６４】
ＡＤＣ６２は、ミキサ４４から出力されるアナログのフィードバック信号をデジタル信号に変換して、歪補償部５６に出力する。
【００６５】
ＡＤＣ６４は、ローパスフィルタ４０から出力されるアナログの受信信号をデジタル信号に変換して、復調部６０に出力する。
【００６６】
以上のように、第２の実施形態によれば、第１の実施形態と同様に、サーキュレータに入力される送信信号の漏れからフィードバック信号を取り出すので、送信信号処理部の回路規模を小さくすることができるとともに、配線が複雑化するのを回避することができる。
【００６７】
［第３の実施形態］
図６は、本発明の第３の実施形態の通信装置の構成を表わす図である。
【００６８】
この通信装置が、図１の第１の実施形態の通信装置と相違する点は、受信信号およびフィードバック信号処理部２０５と、ＡＤＣ６２と、ＡＤＣ６４とである。
【００６９】
受信信号およびフィードバック信号処理部２０４は、スイッチ４８と、減衰器９４と、スイッチ５０と、低雑音増幅器２６と、ミキサ４４と、増幅器３２と、ミキサ４６と、ローパスフィルタ４０とを備える。
【００７０】
スイッチ４８は、送信時において歪補償を実行するとき、および受信時には、サーキュレータ１４からの信号、つまりフィードバック信号または受信信号を減衰器９４へ出力する。スイッチ４８は、送信時において歪補償を実行しないときには、サーキュレータ１４からの信号、つまりフィードバック信号を抵抗Ｒを介してグランドへ出力する。
【００７１】
減衰器９４は、送信時において歪補償を実行するときには、減衰率が０以外の所定の値に設定され、受信時には、減衰率が０に設定される。減衰器９４は、送信時において歪補償を実行するとき、スイッチ４８から出力されるフィードバック信号を所定のレベルまで減衰して、スイッチ５０へ出力する。減衰器９４は、受信時に、スイッチ４８から出力される受信を減衰せずに、スイッチ５０へ出力する。
【００７２】
スイッチ５０は、送信時には、減衰器９４から出力される信号、つまりフィードバック信号をミキサ４４へ出力する。スイッチ５０は、受信時には、減衰器９４から出力される信号、つまり受信信号を増幅器３２へ出力する
低雑音増幅器２６は、雑音指数の少ない増幅器である。低雑音増幅器２６は、スイッチ５０から出力される受信信号を増幅して、増幅器３２へ出力する。低雑音増幅器２６は、送信時の第１の期間には、電源がオフとなるように制御される。
【００７３】
増幅器３２は、低雑音増幅器２６で増幅された受信信号をさらに後段のミキシングに適したレベルまで増幅して、ミキサ４６へ出力する。
【００７４】
ミキサ４４は、送信時には、無線周波数帯のフィードバック信号と局部発振器８１から出力されるローカル信号とを乗算して、フィードバック信号を中間周波数帯の信号にダウンコンバートして、ＡＤＣ６２へ出力する。
【００７５】
ミキサ４６は、受信時には、無線周波数帯の受信信号と局部発振器８１から出力されるローカル信号とを乗算して、受信信号を中間周波数帯の信号にダウンコンバートして、ローパスフィルタ４０へ出力する。
【００７６】
ローパスフィルタ４０は、受信信号から妨害波を除去して所望信号を抽出して、ＡＤＣ６４へ出力する。
【００７７】
ＡＤＣ６２は、ミキサ４４から出力されるアナログのフィードバック信号をデジタル信号に変換して、歪補償部５６に出力する。
【００７８】
ＡＤＣ６４は、ローパスフィルタ４０から出力されるアナログの受信信号をデジタル信号に変換して、復調部６０に出力する。
【００７９】
以上のように、第３の実施形態によれば、第１の実施形態と同様に、サーキュレータに入力される送信信号の漏れからフィードバック信号を取り出すので、送信信号処理部の回路規模を小さくすることができるとともに、配線が複雑化するのを回避することができる。
【００８０】
［第４の実施形態］
図７は、本発明の第４の実施形態の通信装置の構成を表わす図である。
【００８１】
この通信装置が、図１の第１の実施形態の通信装置と相違する点は、受信信号およびフィードバック信号処理部２０６である。
【００８２】
図７の受信信号およびフィードバック信号処理部２０６のうちのトランシーバ２に含まれる構成は、図１の受信信号およびフィードバック信号処理部２０４のうちのトランシーバ２に含まれる構成と同様である。
【００８３】
受信信号およびフィードバック信号処理部２０６のうちのフロントエンドモジュール８に含まれる構成要素は、図６の受信信号およびフィードバック信号処理部２０５のうちのフロントエンドモジュール７に含まれる構成要素に加えて、さらにスイッチ６８を含む。
【００８４】
スイッチ６８は、受信時には低雑音増幅器２６から出力される受信信号を受けて、トランシーバ２のスイッチ３０へ出力し、送信時にはスイッチ５０から出力されるフィードバックを受けて、トランシーバ２のスイッチ３０へ出力する。
【００８５】
以上のように、第４の実施形態によれば、第１の実施形態と同様に、サーキュレータに入力される送信信号の漏れからフィードバック信号を取り出すので、送信信号処理部の回路規模を小さくすることができるとともに、配線が複雑化するのを回避することができる。また、第４の実施形態によれば、第１の実施形態と同様に、単一のミキサによって、フィードバック信号と受信信号の両方の周波数変換が行われるので、フィードバック信号の周波数変換と受信信号の周波数変換とを別々のミキサで行なう場合と比べて、通信装置の回路規模を小さくすることができる。
【００８６】
［第５の実施形態］
図８は、本発明の第５の実施形態の通信装置の構成を表わす図である。
【００８７】
この通信装置が、図７の第４の実施形態の通信装置と相違する点は、受信信号およびフィードバック信号処理部２０７である。
【００８８】
受信信号およびフィードバック信号処理部２０７のうちのフロントエンドモジュール８に含まれる構成要素は、図７の受信信号およびフィードバック信号処理部２０６のうちのフロントエンドモジュール８に含まれる構成要素と同様である。
【００８９】
図８の受信信号およびフィードバック信号処理部２０７のうちのトランシーバ９に含まれる構成は、ミキサ３６のみである。
【００９０】
ミキサ３６は、送信時には、無線周波数帯のフィードバック信号と局部発振器８１から出力されるローカル信号とを乗算して、フィードバック信号を中間周波数帯の信号にダウンコンバートする。ミキサ３６は、受信時には、無線周波数帯の受信信号と局部発振器８１から出力されるローカル信号とを乗算して、受信信号を中間周波数帯の信号にダウンコンバートする。
【００９１】
以上のように、第５の実施形態によれば、第１の実施形態と同様に、サーキュレータに入力される送信信号の漏れからフィードバック信号を取り出すので、送信信号処理部の回路規模を小さくすることができるとともに、配線が複雑化するのを回避することができる。また、第５の実施形態によれば、第１の実施形態と同様に、単一のミキサによって、フィードバック信号と受信信号の両方の周波数変換が行われるので、フィードバック信号の周波数変換と受信信号の周波数変換とを別々のミキサで行なう場合と比べて、通信装置の回路規模を小さくすることができる。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９３】
１，４，７，８  フロントエンドモジュール、２，５，９  トランシーバ、３  デジタル信号処理部、１０  送受信アンテナ、１２  バンドパスフィルタ、１４  サーキュレータ、１６  電力増幅器、１８，３２  増幅器、２０，３６，４４，４６  ミキサ、２２，２８，３０，３４，３８，４２，４８，５０，６８  スイッチ、２４，９４  減衰器、２６  低雑音増幅器、４０  ローパスフィルタ、５６  歪補償部、６０  復調部、６１  変調部、８１  局部発振器、２０１  送信信号処理部、２０２  フィードバック信号処理部、２０３  受信信号処理部、２０４，２０５，２０６，２０７  受信信号およびフィードバック信号処理部、５２  ＤＡＣ、５４，６４，６６  ＡＤＣ、Ｒ  抵抗。
【図１】
0005481341.tif 000002
【図２】
0005481341.tif 000003
【図３】
0005481341.tif 000004
【図４】
0005481341.tif 000005
【図５】
0005481341.tif 000006
【図６】
0005481341.tif 000007
【図７】
0005481341.tif 000008
【図８】
0005481341.tif 000009